(57)【要約】【課題】ハンドオーバ元のアクセスポイントとハンドオーバ先のアクセスポイントが同一の無線制御装置の配下にあるかに関わらず、アクセスポイントの切り替えを行うことを可能にすることである。【解決手段】移動局は、ハンドオーバ先のアクセスポイントに、ハンドオーバ元のアクセスポイントを識別するアクセスポイント識別情報を送信する。ハンドオーバ先のアクセスポイントは、アクセスポイント識別情報を用いて、ハンドオーバ元のアクセスポイントに移動局との通信に必要な制御情報を要求する。ハンドオーバ元のアクセスポイントから取得した制御情報を用いて、ハンドオーバ先のアクセスポイントと移動局の間にリンクが確立される。【選択図】図１
2010068488.tif 000002
【特許請求の範囲】
【請求項１】
移動局が第１のアクセスポイントの通信エリアから第２のアクセスポイントの通信エリアへ移動する際に、前記第２のアクセスポイントが備える情報処理装置を、
前記移動局から受信する接続要求メッセージから前記第１のアクセスポイントを識別する第１のアクセスポイント識別情報を抽出する抽出手段、
前記第１のアクセスポイント識別情報を利用して、前記第１のアクセスポイントに対して、前記移動局の通信に係わる制御情報を要求する要求手段、
前記第１のアクセスポイントから取得した前記制御情報を利用して、前記移動局との間にリンクを確立する通信手段、
として機能させるための通信制御プログラム。
【請求項２】
前記要求手段は、前記第２のアクセスポイントの通信エリアに隣接する通信エリアを形成するアクセスポイントを識別するアクセスポイント識別情報を記録したアクセスポイント記録テーブルを参照して、前記第１のアクセスポイントを特定する
ことを特徴とする請求項１に記載の通信制御プログラム。
【請求項３】
前記移動局から送信された制御用メッセージが、前記移動局が前記第２のアクセスポイントの通信エリアに位置するかを問い合わせるメッセージである場合、前記通信手段は、前記制御用メッセージのうち前記第１のアクセスポイント識別情報が格納されている領域を処理対象とせずに、前記移動局と前記第２のアクセスポイントの間の接続の可否を判断する
ことを特徴とする請求項１に記載の通信制御プログラム。
【請求項４】
第１のアクセスポイントと第２のアクセスポイントを含むシステムにおいて前記第２のアクセスポイントとして使用されるアクセスポイントであって、
前記第１のアクセスポイントの通信エリアから前記第２のアクセスポイントの通信エリアへ移動する移動局から、接続要求メッセージを受信すると、前記接続要求メッセージから前記第１のアクセスポイントを識別する第１のアクセスポイント識別情報を抽出する識別情報抽出手段と、
前記第１のアクセスポイント識別情報を利用して、前記第１のアクセスポイントに対して、前記移動局の通信に係わる制御情報を要求する制御情報要求手段と、
前記第１のアクセスポイントから取得した前記制御情報を利用して、前記移動局との間にリンクを確立する通信手段
を備えることを特徴とするアクセスポイント。
【請求項５】
移動局が第１のアクセスポイントの通信エリアから第２のアクセスポイントの通信エリアへ移動する際に、前記移動局が備える情報処理装置を、
前記第１のアクセスポイントを識別する第１のアクセスポイント識別情報を記憶する識別情報記憶手段、
前記移動局がアクセスポイントの通信エリア内に位置するかを問い合わせる第１のメッセージに応答する第２のメッセージを、前記第２のアクセスポイントから受信すると、前記第２のメッセージから、前記第２のアクセスポイントを識別するアクセスポイント識別情報を抽出する抽出手段、
前記第２のアクセスポイントに対して前記第１のアクセスポイント識別情報を含む第３のメッセージを送信する送信手段
として機能させるための通信制御プログラム。
【発明の詳細な説明】
【技術分野】
【０００１】
本発明は、無線ＬＡＮを用いるネットワークシステムにおいて行われるハンドオーバに関わる。
【背景技術】
【０００２】
ＷＬＡＮ（Ｗｉｒｅｌｅｓｓ  Ｌｏｃａｌ  Ａｒｅａ  Ｎｅｔｗｏｒｋ）システムを介して通信を行う移動局は、アクセスポイント（基地局、ＡＰ）から受信する信号の通信品質などに応じて適宜ハンドオーバを行う。図１２は、移動局がアクセスポイント間でハンドオーバを行う場合のシーケンスを説明する図である。
【０００３】
（１）ハンドオーバに際して、移動局（ＳＴＡ）は、プローブ要求メッセージ（Ｐｒｏｂｅ  ＲＥＱ）を送信し、周辺のアクセスポイントの有無を問い合わせる。移動局がアクセスポイントからプローブ応答メッセージ（Ｐｒｏｂｅ  ＲＥＳ）を受信すると、移動局とプローブ応答メッセージを送信したアクセスポイントの間で認証（Ａｕｔｈ）が行われる。
【０００４】
（２）移動局は、認証が完了したアクセスポイントを、ハンドオーバ先のアクセスポイント（新アクセスポイント）とし、新アクセスポイントにリアソシエーション要求メッセージ（Ｒｅ−ａｓｓｏｃｉａｔｉｏｎ  ＲＥＱ）を送信する。
【０００５】
（３）新アクセスポイントは、リアソシエーション要求メッセージを受信すると、移動局との接続を確立しようとする。接続の確立に必要な情報を入手するために、自装置を制御している無線制御装置（ＷＬＳ）にリアソシエーション要求メッセージを送信する。
【０００６】
無線制御装置は、リアソシエーション要求メッセージを受信すると、ハンドオーバを行う移動局を特定する。また無線制御装置は、その移動局が現在接続しているアクセスポイント（旧アクセスポイント）も特定し、旧アクセスポイントと通信を行う。
【０００７】
移動局を特定すると、無線制御装置は、移動局との通信に用いる共通鍵などの移動局との通信に必要な情報を、リアソシエーションメッセージに応答するリアソシエーション応答メッセージ（Ｒｅ−ａｓｓｏｃｉａｔｉｏｎ  ＲＥＳ）に含めて、新アクセスポイントに送信する。新アクセスポイントは、通知された制御情報を用いて移動局と接続を確立する。
【０００８】
移動局が行うアクセスポイント間のハンドオーバに関連する技術として、複数の無線ＬＡＮ基地局の通信エリアに重複して属する無線ＬＡＮ端末局に対して、無線ＬＡＮ端末局と接続すべき無線ＬＡＮ基地局を選択する方法が開示されている。この方法では、無線ＬＡＮ基地局から送信された信号の電界強度および通信品質に基づいて接続すべき無線ＬＡＮ基地局が選択される。他の文献には、子機が周辺のアクセスポイント（ＡＰ）に対するサーチを行ってＡＰ情報を入手し、ローミング先として接続可能な周辺のＡＰの最新情報をＡＰ情報テーブルに保持する方式が開示されている。また、携帯通信端末が、第一のアクセスポイントと通信している最中に検出した電波強度に基づいて次に通信する第二のアクセスポイントを決定する方式が開示されている。さらに、サービスと、サービスを提供するサービスベンダと、Ｖ−ＬＡＮスイッチの対応付けを用いたネットワークサービス接続システムを開示した文献もある。
【特許文献１】特開２００５−２４４７２１号公報
【特許文献２】特開２００４−８８５９２号公報
【特許文献３】特開２００７−３１１８５１号公報
【特許文献４】特開２００４−３６３８７８号公報
【発明の開示】
【発明が解決しようとする課題】
【０００９】
前述のハンドオーバ方法では、新アクセスポイントは、新アクセスポイントを制御している無線制御装置に対して移動局との通信に必要な情報を要求する。ここで新アクセスポイントが要求している情報は、旧アクセスポイントを制御する無線制御装置に保持されている。従って、新アクセスポイントと旧アクセスポイントが別個の無線制御装置の配下に位置する場合には、新アクセスポイントの無線制御装置は旧アクセスポイント等にアクセスすることができず、新アクセスポイントは通信に必要な制御情報を取得できない。そのため、新アクセスポイントと旧アクセスポイントが異なる無線制御装置によって制御されている場合は、ハンドオーバに失敗し、移動局は通信ができなくなる。この場合、移動局は、一旦接続を切断して、新アクセスポイントとの間で新たに接続を行う必要が生じる。
【００１０】
本発明の目的は、このような問題を解決し、アクセスポイントの切り替えを行うことを可能にすることである。
【課題を解決するための手段】
【００１１】
上記の課題は、移動局が第１のアクセスポイントの通信エリアから第２のアクセスポイントの通信エリアへ移動する際に、前記第２のアクセスポイントが備える情報処理装置を、前記移動局から受信する接続要求メッセージから前記第１のアクセスポイントを識別する第１のアクセスポイント識別情報を抽出する抽出手段、前記第１のアクセスポイント識別情報を利用して、前記第１のアクセスポイントに対して、前記移動局の通信に係わる制御情報を要求する要求手段、前記第１のアクセスポイントから取得した前記制御情報を利用して、前記移動局との間にリンクを確立する通信手段として機能させることによって解決することができる。
【００１２】
上記の手順では、第１のアクセスポイントの通信エリアから第２のアクセスポイントの通信エリアへ移動する移動局は、第２のアクセスポイントに接続要求メッセージを送信する。接続要求メッセージの中には、第１のアクセスポイントを識別するアクセスポイント識別情報が含まれている。第２のアクセスポイントは、そのアクセスポイント識別情報を用いて第１のアクセスポイントに対して、移動局との通信に必要な制御情報を要求する。制御情報が得られると、第２のアクセスポイントは、その制御情報を利用して移動局との間にリンクを確立する。
【発明の効果】
【００１３】
アクセスポイントの切り替えを行うことができる。
【発明を実施するための最良の形態】
【００１４】
＜ネットワーク構成例＞
図１は、実施形態のハンドオーバ方法が用いられるネットワークの構成例を示す図である。移動局１は、アクセスポイント２（ＡＰ、基地局）を介して他のノードとの通信を行い、通信の際には、必要に応じて共通鍵などが用いられる。無線制御装置４（４ａ、４ｂ）は、各々が複数のアクセスポイント２（２ａ〜２ｄ）を管理している。図１において、アクセスポイント２ａと２ｂは、無線制御装置４ａにより管理されており、アクセスポイント２ｃ、２ｄは無線制御装置４ｂにより管理されている。従って、アクセスポイント２ｂの通信エリアからアクセスポイント２ｃの通信エリアへ移動局１が移動すると、異なる無線制御装置に管理されているアクセスポイント２の間でのハンドオーバが行われる。
【００１５】
また、無線制御装置４は、移動局１との通信に必要な情報を格納する。移動局１との通信に必要な情報の例としては、例えば、移動局１との通信に用いる共通鍵などが挙げられる。アクセスポイント２と無線制御装置４は、ハブ３を介して接続され、複数の無線制御装置４がハブ３を介してルータ５に接続されている。
【００１６】
また、ネットワークの各ノードはルータ５を介してＤＮＳ（Ｄｏｍａｉｎ  Ｎａｍｅ  Ｓｙｓｔｅｍ）サーバ６、ＲＡＤＩＵＳ（Ｒｅｍｏｔｅ  Ａｕｔｈｅｎｔｉｃａｔｉｏｎ
Ｄｉａｌ  Ｉｎ  Ｕｓｅｒ  Ｓｅｒｖｉｃｅ）サーバ７、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバ８と通信が可能である。これらのサーバと通信することで、適宜、ドメイン名とＩＰアドレスの対応付け、認証などの記録、一時的に接続するノードへのアドレスの割り当てなどが行われる。
【００１７】
なお、図１に示したネットワーク構成は、一例にすぎず、各無線制御装置４が管理するアクセスポイント２の数や、１台のルータ５に接続される無線制御装置４の数は任意である。
【００１８】
＜ハンドオーバ方法＞
旧アクセスポイントが移動局との通信に使用している制御情報を新アクセスポイントが取得することができれば、新アクセスポイントと旧アクセスポイントが異なる無線制御装置の配下にある場合でも、ハンドオーバが可能である。一つの形態として、新アクセスポイントが、旧アクセスポイントを管理している無線制御装置にアクセスし、必要な制御情報を取得してハンドオーバを行うことが考えられる。
【００１９】
そこで、全ての無線制御装置４を管理するマスター無線制御装置をネットワーク上に設置し、マスター無線制御装置の情報を用いて、新アクセスポイント２が、旧アクセスポイントを管理している無線制御装置４にアクセスする構成にすることができる。マスター無線制御装置は、各無線制御装置４について、アクセスポイント２との接続関係を各ノードのＭＡＣアドレス（Ｍｅｄｉａ  Ａｃｃｅｓｓ  Ｃｏｎｔｒｏｌ  ａｄｄｒｅｓｓ）を用いて記録したデータベースを保持している。
【００２０】
図２は、新アクセスポイントと旧アクセスポイントが同一の無線制御装置の配下にない場合のハンドオーバ方法の実施形態の一例を説明するシーケンス図である。以下、移動局１が、アクセスポイント２ｂの通信エリアからアクセスポイント２ｃの通信エリアへ移動する場合のハンドオーバを例として説明する。
【００２１】
（１）移動局１は、ハンドオーバに際し、移動局１がいずれかのアクセスポイント２の通信エリアの近傍に位置するかを知るために、プローブ要求メッセージを送信する。図３は、プローブ要求メッセージの情報要素を説明する図である。プローブ要求メッセージには、ＳＳＩＤ（サービスセット識別子、Ｓｅｒｖｉｃｅ  Ｓｅｔ  Ｉｄｅｔｉｆｉｅｒ）と、Ｓｕｐｐｏｒｔｅｄ  Ｒａｔｅが含まれる。Ｓｕｐｐｏｒｔｅｄ  Ｒａｔｅは、移動局１がサポートしている全ての無線伝送レートの一覧である。プローブ要求メッセージを受信したアクセスポイント２ｃは、移動局１がアクセスポイント２ｃの通信エリア内に位置することを通知するために、移動局１に対してプローブ応答メッセージを送信する。プローブ応答メッセージによって移動局１がアクセスポイント２ｃを認識すると、移動局１とアクセスポイント２ｃは、認証用のメッセージを交換し（ＡｕｔｈメッセージおよびＡｕｔｈ  ＲＥＳメッセージ）認証が行われる。
【００２２】
（２）移動局１は、認証が完了したアクセスポイント２ｃを、新アクセスポイントとし、リアソシエーション要求メッセージ（Ｒｅ−ａｓｓｏｃｉａｔｉｏｎ  ＲＥＱ）を送信する。リアソシエーション要求メッセージは、移動局１がハンドオーバを行う際に、新アクセスポイントに接続を要求するためのメッセージである。
【００２３】
図４に、リアソシエーション要求メッセージの情報要素を示す。リアソシエーション要求メッセージには、ＳＳＩＤの他に、Ｃａｐａｂｉｌｉｔｙ  Ｉｎｆｏｒｍａｔｉｏｎ、Ｌｉｓｔｅｎ  Ｉｎｔｅｒｖａｌ、Ｃｕｒｒｅｎｔ  ＡＰ  Ａｄｄｒｅｓｓなどが含まれる。Ｃａｐａｂｉｌｉｔｙ  Ｉｎｆｏｒｍａｔｉｏｎは、移動局１が非競合期間に対応する端末かなどの各種情報を表す。Ｌｉｓｔｅｎ  Ｉｎｔｅｒｖａｌは、移動局がビーコンを受信する周期、Ｃｕｒｒｅｎｔ  ＡＰ  Ａｄｄｒｅｓｓは、旧アクセスポイントとなっているアクセスポイント２ｂのＭＡＣアドレスである。
【００２４】
（３）新アクセスポイント２ｃは、リアソシエーション要求メッセージを受信すると、コールアドミッション制御（Ｃａｌｌ  Ａｄｍｉｓｉｏｎ  Ｃｏｎｔｒｏｌ、ＣＡＣ）を行い、アクセスポイント２ｃに接続する移動局１を増やすことができるかを確認する。
【００２５】
（４）アクセスポイント２ｃに１台以上の移動局を接続できる場合には、アクセスポイント２ｃは、アクセスポイント２ｃを管理している無線制御装置４ｂにリアソシエーション要求メッセージを送信する。アクセスポイント２ｃは、リアソシエーション要求メッセージを送信することによって、無線制御装置４ｂに、旧アクセスポイント２ｂが接続されている無線制御装置４ａのアドレスを要求している。このとき、旧アクセスポイント２ｂを管理する無線制御装置４の検索に必要な情報として、無線制御装置４ｂに、旧アクセスポイント２ｂのＭＡＣアドレスを通知する。
【００２６】
（５）リアソシエーション要求メッセージを受信すると、無線制御装置４ｂは、マスター無線制御装置に対して、アクセスポイント２ｂを管理している無線制御装置４を問い合わせる。このとき、無線制御装置４ｂは、マスター無線制御装置４にアクセスポイント２ｂのＭＡＣアドレスを通知する。
【００２７】
（６）マスター無線制御装置は、通知されたＭＡＣアドレスを用いて、データベースを検索し、旧アクセスポイント２ｂを管理している無線制御装置４は無線制御装置４ａであることを認識する。マスター無線制御装置４は、無線制御装置４ａが旧アクセスポイント２ｂを管理していることと、無線制御装置４ａのＭＡＣアドレスを、検索を要求した無線制御装置４ｂに通知する。
【００２８】
（７）マスター無線制御装置４からの通知を受けた無線制御装置４ｂは、アクセスポイント２ｃにＲｅｄｉｒｅｃｔメッセージを送信することにより、アクセスポイント２ｃが無線制御装置４ａにアクセスして制御情報を取得すべきことを通知する。
【００２９】
（８）新アクセスポイント２ｃは、無線制御装置４ａにリアソシエーション要求メッセージを送信し、旧アクセスポイント２ｂのＭＡＣアドレスを通知する。
（９）無線制御装置４ａは、旧アクセスポイント２ｂのＭＡＣアドレスを用いて、移動局１との通信に必要な制御情報を検索する。この制御情報としては、例えば、通信に際して用いられているＰＭＫＩＤ（Ｐａｉｒｗｉｒｅ  Ｍａｓｔｅｒ  Ｋｅｙ  Ｉｄｅｔｉｆｉｅｒ）などが含まれる。
【００３０】
（１０）無線制御装置４ａは、新アクセスポイント２ｃに、リアソシエーション応答メッセージを送信し、ＰＭＫＩＤやＰＭＫ（Ｐａｉｒｗｉｒｅ  Ｍａｓｔｅｒ  Ｋｅｙ）を通知する。
【００３１】
（１１）新アクセスポイント２ｃは、Ｕプレーン（Ｕ−ｐｌａｎｅ）でのコールアドミ
ッション制御を行い、アクセスポイント２ｃがユーザデータの送受信を行う移動局１の数を増やすことができるかを確認する。
【００３２】
（１２）新アクセスポイント２ｃは、移動局１にリアソシエーション応答メッセージを送信する。このリアソシエーション応答メッセージには、ＡＩＤ（Ａｓｓｏｃｉａｔｉｏｎ  Ｉｄｅｎｔｉｆｉｅｒ）とＳｔｅｔｕｓ  Ｃｏｄｅが含まれる。ＡＩＤは、アクセスポイント２ｃが移動局１に割り当てる移動局１の識別子であり、Ｓｔｅｔｕｓ  Ｃｏｄｅは、アクセスポイント２ｃと移動局１がリンクを確立することができるかを示す情報である。
【００３３】
このようなハンドオーバ方法を行うことにより、異なる無線制御装置に接続されているアクセスポイントの間でもハンドオーバを行うことが可能である。しかしながら、新アクセスポイントがリアソシエーション要求メッセージなどを受信したことをトリガとして旧アクセスポイントをマスター無線制御装置が検索するので、マスター無線制御装置の負荷が大きくなるという問題がある。また、マスター無線制御装置で旧アクセスポイントを検索する処理に時間を要するため、処理に時間がかかるという問題もある。
【００３４】
上記の問題点を改善する別の実施形態として、旧アクセスポイントと移動局との通信に使用される制御情報を、新アクセスポイントが、旧アクセスポイントを介して取得する構成にすることができる。この場合は、各アクセスポイントは、自装置の近傍に設置されているアクセスポイントについて各々のアクセスポイントを特定するアクセスポイント識別情報（ＡＰ−ＩＤ）を記録したＡＰ−ＩＤテーブルを備える。移動局が、旧アクセスポイントのアクセスポイント識別情報を新アクセスポイントに通知すると、新アクセスポイントは、ＡＰ−ＩＤテーブルを用いて旧アクセスポイントのＭＡＣアドレスなどを特定する。新アクセスポイントは、旧アクセスポイントに対して制御情報を要求し、取得した制御情報を用いて移動局とのリンクを確立する。このような実施形態では、マスター無線制御装置などの特定のノードに負荷をかけることなく、異なる無線制御装置に接続されているアクセスポイント２の間でのハンドオーバを行うことができる。
【００３５】
アクセスポイント識別情報の設定や各アクセスポイント２へのＡＰ−ＩＤテーブルの格納は、アクセスポイント２や無線制御装置４の設置時に行うことができる。また、アクセスポイント２を増設した場合などに、無線制御装置４を通して、各アクセスポイント２のＡＰ−ＩＤテーブルを設定もしくは変更することもできる。ＡＰ−ＩＤテーブルには、そのＡＰ−ＩＤテーブルを保持しているアクセスポイント２を新アクセスポイントとしたハンドオーバにおいて、旧アクセスポイント２となる可能性があるアクセスポイント２を識別するアクセスポイント識別情報が記録される。しかし、アクセスポイント２の実装形態に応じて、その他のアクセスポイント２についても、アクセスポイント識別情報をＡＰ−ＩＤテーブルに保持する構成にすることもできる。例えば、ネットワークの規模やアクセスポイント２の有する記憶容量に応じて、ネットワークに設置されている全てのアクセスポイント２のアクセスポイント識別情報を記憶させる構成にすることもできる。つまり、あるアクセスポイント２が備えるＡＰ−ＩＤテーブルは、少なくとも、そのアクセスポイント２の通信エリアに隣接した通信エリアを形成するアクセスポイント２を表すアクセスポイント識別情報を含む、任意の構成とすることができる。
【００３６】
アクセスポイント識別情報は、各々のアクセスポイント２がそれぞれ備えるＡＰ−ＩＤテーブルにおいて、テーブル中に含まれる個々のアクセスポイント２を一意に識別することができる情報であれば良く、任意の構成にすることができる。例えば、あるアクセスポイント２を基点として付した通し番号などであっても良い。
【００３７】
ここで、アクセスポイント識別情報は、既存のメッセージの情報要素を利用して、移動
局およびアクセスポイントの間で送受信することができる。例えば、移動局やアクセスポイントなどの間で送受信されるメッセージに含まれるＳＳＩＤに割り当てられているフィールドを用いてアクセスポイント識別情報を送受信することができる。
【００３８】
図５は、アクセスポイント識別情報の送受信に用いることができるＳＳＩＤの構成を説明する図である。ＳＳＩＤは、サービスを識別するために用いられる識別子であり、ＳＳＩＤフィールド９は図５（ａ）に示すように、３２オクテット以下の長さを有する。このＳＳＩＤフィールド９の一部を、図５（ｂ）に示すように１６オクテット以下の長さのアクセスポイント識別情報フィールド９１と、１６オクテット以下の長さのＳＳＩＤフィールド９２に分ける。アクセスポイント識別情報フィールド９１に、アクセスポイント識別情報を格納し、ＳＳＩＤフィールド９２には、もともとＳＳＩＤフィールド９に格納されていたＳＳＩＤに相当するサービスの識別に用いる識別子を格納することができる。移動局やアクセスポイントの間などで送受信されるメッセージに含まれるＳＳＩＤを図５（ｂ）に示すような構成にすることにより、アクセスポイント識別情報の通知などをすることができる。
【００３９】
アクセスポイント識別情報フィールド９１を備えるＳＳＩＤを含むメッセージを受信したノードは、アクセスポイント識別情報を取得する必要がある場合は、アクセスポイント識別情報フィールド９１を参照する。一方、サービスの識別を行う場合などは、ノードは、図５（ａ）に示したＳＳＩＤにおいてＳＳＩＤフィールド９に格納されていた情報の処理をする必要がある。そこで、各ノードは、アクセスポイント識別情報フィールド９１をマスクし、ＳＳＩＤフィールド９２のみを用いて処理を行う。
【００４０】
図６は、新アクセスポイントが旧アクセスポイントを介して制御情報を取得する場合のハンドオーバ方法の実施形態の一例を説明するシーケンス図である。以下、移動局１が、アクセスポイント２ｂの通信エリアからアクセスポイント２ｃの通信エリアへ移動する場合のハンドオーバを例として、ＳＳＩＤを用いてアクセスポイント識別情報を通知する形態のハンドオーバ方法を説明する。
【００４１】
（１）移動局１は、ハンドオーバに際し、移動局１がいずれのアクセスポイント２の通信エリアの近傍に位置するかを知るために、プローブ要求メッセージを送信する。ここで送信されるプローブ要求メッセージは、図３に示したのと同様の情報要素を有するが、ＳＳＩＤの構成は図５（ｂ）で示した構成であるとする。移動局１は、自装置が接続しているアクセスポイント２ｂのアクセスポイント識別情報を、アクセスポイント識別情報フィールド９１に格納したプローブ要求メッセージを生成する。移動局１が接続しているアクセスポイント２のアクセスポイント識別情報を取得する方法は後述する。アクセスポイント２ｃを含むアクセスポイント２は、移動局１から送信されたプローブ要求メッセージを受信する。
【００４２】
（２）プローブ要求メッセージを受信したアクセスポイント２ｃは、プローブ要求メッセージに含まれているＳＳＩＤなどの情報要素を確認し、必要な情報を格納する。例えば、プローブ要求メッセージ中のＳＳＩＤフィールド９２を読み込んで、移動局１から送信されたメッセージに含まれているＳＳＩＤを取得する。
【００４３】
取得したＳＳＩＤを用いて、アクセスポイント２ｃは、移動局１のアクセスを許容するかを決定する。各アクセスポイント２は、アクセス可能なＳＳＩＤを記録したＳＳＩＤテーブルを備えている。そこで、アクセスポイント２ｃは、移動局１が送信してきたＳＳＩＤがＳＳＩＤテーブルに含まれているかを確認することにより、移動局１の自装置へのアクセスを許容するかを判断する。
【００４４】
なお、ここで、アクセスポイント２ｃは、アクセスポイント識別情報フィールド９１を読み込み、アクセスポイント識別情報を記憶する構成にしてもよい。この場合、認証を行う可能性がある移動局１が接続しているアクセスポイント２ｂを、早い時点で認識しておくことができる。
【００４５】
移動局１のアクセスが許容できる場合、アクセスポイント２ｃは、移動局１の新アクセスポイント２となる可能性がある。そこで、アクセスポイント２ｃは、自装置の通信エリア内に移動局１が位置していることを通知するために、移動局１に対してプローブ応答メッセージを送信する。このプローブ応答メッセージには、新アクセスポイントのアクセスポイント識別情報として、アクセスポイント２ｃを表すアクセスポイント識別情報が格納されている。
【００４６】
移動局１はプローブ応答メッセージを受信すると、アクセスポイント識別情報フィールド９１を読み込み、新アクセスポイントとなる可能性があるアクセスポイントとして、アクセスポイント２ｃのアクセスポイント識別情報を記憶する。
【００４７】
（３）プローブ応答メッセージによって移動局１がアクセスポイント２ｃを認識すると、移動局１とアクセスポイント２ｃは、認証用のメッセージを交換し認証が行われる。
（４）移動局１は、認証が完了したアクセスポイント２ｃを新アクセスポイントとして、リアソシエーション要求メッセージを送信する。リアソシエーション要求メッセージの情報要素は図４に示したとおりである。
【００４８】
このとき、移動局１は、リアソシエーション要求メッセージに含まれるＳＳＩＤのアクセスポイント識別情報フィールド９１に、旧アクセスポイント２ｂのアクセスポイント識別情報を格納して、新アクセスポイント２ｃに送信する。
【００４９】
新アクセスポイント２ｃは、リアソシエーション要求メッセージを受信すると、そのメッセージ中のＳＳＩＤのアクセスポイント識別情報フィールド９１を確認して、アクセスポイント識別情報を抽出する。アクセスポイント２ｃは、抽出したアクセスポイント識別情報を用いて自装置が格納しているＡＰ−ＩＤテーブルを検索し、接続を要求してきた移動局１が現在接続しているアクセスポイント２ｂにアクセスする。図７は、アクセスポイント２が格納しているＡＰ−ＩＤテーブルの一例を示す図である。ＡＰ−ＩＤテーブルには、アクセスポイント２ごとに、アクセスポイント識別情報とアクセスポイントのＭＡＣアドレスもしくはＩＰアドレスを対応付けて格納されている。
【００５０】
例えば、アクセスポイント２ｂのＡＰ−ＩＤが「ＡＰＩＤ１」であれば、アクセスポイント２ｃは、アクセスポイント識別情報フィールド９１から「ＡＰＩＤ１」という識別情報を抽出する。新アクセスポイント２ｃは、ＡＰＩＤ１に対応づけてＡＰ−ＩＤテーブル中に格納されているＭＡＣアドレスもしくはＩＰアドレスを、旧アクセスポイント２ｂのアドレスであると認識する。
【００５１】
（５）新アクセスポイント２ｃは、リアソシエーション要求メッセージを受信すると、コールアドミッション制御を行い、アクセスポイント２ｃに接続する移動局１を増やすことができるかを確認する。
【００５２】
（６）アクセスポイント２ｃに１台以上の移動局を接続できる場合には、アクセスポイント２ｃは、ＡＰ−ＩＤテーブルを用いて特定した旧アクセスポイント２ｂのアドレスを送信先として、リアソシエーション要求メッセージを転送する。このリアソシエーション要求メッセージを転送することにより、新アクセスポイント２ｃは、旧アクセスポイント２ｂに、移動局１との通信を行うために用いられる制御情報を要求する。
【００５３】
ただし、本明細書中では、旧アクセスポイント２ｂに制御情報を要求することには、旧アクセスポイント２ｂを介して無線制御装置４ａなどの他のノードに制御情報を要求することも含む。同様に、旧アクセスポイント２ｂから制御情報を取得することには、旧アクセスポイント２ｂが保持している制御情報を取得することだけではなく、他のノードが保持している制御情報を、旧アクセスポイント２ｂを介して取得することを含む。
【００５４】
（７）旧アクセスポイント２ｂは、新アクセスポイント２ｃからリアソシエーション要求メッセージを受信すると、移動局１が新アクセスポイント２ｃへハンドオーバすることを認識する。そこで、旧アクセスポイント２ｂは、新アクセスポイント２ｃに制御情報を通知するために、旧アクセスポイント２ｂの無線制御装置４ａが格納している制御情報を要求する。
【００５５】
（８）無線制御装置４ａは、旧アクセスポイント２ｂからの要求に応じて移動局１との通信に用いられているＰＭＫＩＤなどを検索する。このときの検索方法としては、任意の方法を用いることができる。例えば、各々の無線制御装置４は、配下のアクセスポイント２が移動局１との間の通信に用いるＰＭＫＩＤなどの制御情報、および、各移動局１を一意に識別する識別情報を対応付けて記憶する制御情報テーブルを備える構成にすることができる。各アクセスポイント２は、無線制御装置４に制御情報を要求する際に、各移動局１を一意に識別する識別情報を通知し、無線制御装置４は、その情報を用いてテーブルを検索し、要求された制御情報を抽出する。また、各移動局１を一意に識別する識別情報の代わりに、移動局１とアクセスポイント２の接続を一意に識別する識別情報を用いて、無線制御装置４のテーブルを構成し、無線制御装置４が必要な制御情報を抽出する構成にすることもできる。
【００５６】
ここで、無線制御装置４は、他の無線制御装置４が管理しているアクセスポイント２についても、アクセスポイント識別情報と、アクセスポイント２のＭＡＣアドレスやＩＰアドレスなどを記録したアクセスポイント管理テーブルを有する構成にすることができる。図８は、アクセスポイント管理テーブルの一例を説明する図である。ＰＭＫＩＤがＭＡＣアドレスやＩＰアドレスと対応付けて無線制御装置に格納されている場合は、無線制御装置４ａは、アクセスポイント管理テーブルから旧アクセスポイント２ｂのアドレスを検索し、ＰＫＭＩＤ等を抽出する。
【００５７】
（９）無線制御装置４ａは、旧アクセスポイント２ｂに、ＰＭＫＩＤやＰＭＫなどの制御情報を通知する。
（１０）旧アクセスポイント２ｂは、新アクセスポイント２ｃに、ＰＭＫＩＤやＰＭＫなどの制御情報を通知する。
【００５８】
（１１）新アクセスポイント２ｃは、Ｕプレーンでのコールアドミッション制御を行い、自装置がユーザデータの送受信を行う移動局１の数を増やすことができるかを確認する。
【００５９】
（１２）新アクセスポイント２ｃにユーザデータの送受信を行う移動局１の数を増やすことができる場合、新アクセスポイント２ｃは、移動局１にリアソシエーション応答メッセージを送信する。このリアソシエーション応答メッセージには、ＡＩＤとＳｔｅｔｕｓ
Ｃｏｄｅが含まれる。
【００６０】
このようなハンドオーバ方法により、異なる無線制御装置に接続されているアクセスポイントの間でもハンドオーバを行うことが可能である。このため、例えば、企業内で、無線ＬＡＮを導入したときに、フロア移動などによって、通信が途切れるのを防ぐことがで
きる。また、大規模なフロア構成とした場合であっても、移動局が移動しても通信が途切れにくくすることができる。また、この方法では、新アクセスポイントが各々のＡＰ−ＩＤテーブルを用いて旧アクセスポイントを検索するので、一部のノードに負荷をかけることもない。さらに、マスター無線制御装置が旧アクセスポイント２を検索する必要がないため、ハンドオーバの処理を迅速に行うことができる。なお、前述のとおり、アクセスポイント２や無線制御装置４の設置後であっても、アクセスポイント管理テーブルを更新することなどによって、各アクセスポイント２が有するＡＰ−ＩＤテーブルを更新することができる。
【００６１】
なお、図６を参照しながら述べた手順は、ＳＳＩＤを用いて旧アクセスポイントを認識するためのハンドオーバ方法の一例である。従って、例えば、手順（４）で行っている旧アクセスポイント２ｂの特定を、手順（５）で行うコールアドミッション制御の後に行うなどの変更をすることができる。また、移動局１は、新アクセスポイント２ｃとのリンクを確立した後で、旧アクセスポイント２ｂを表すアクセスポイント識別情報を削除する構成にして、移動局１において使用可能なメモリ領域を増やすことができる。ただし、移動局１は、新アクセスポイントとのリンクが確立するまで、旧アクセスポイントを表すアクセスポイント識別情報を記憶している。このため、移動局１は、コールアドミッション制御などにより、アクセスポイント２ｃとのリンクを確立できない場合でも、旧アクセスポイントを表すアクセスポイント識別情報を用いて他のアクセスポイント２とリンクを確立することができる。
【００６２】
図９は、移動局１がネットワークと通信を開始するときに、接続するアクセスポイントのアクセスポイント識別情報を取得する方法を説明する図である。
（ａ）移動局１を起動したときには、移動局１はいずれのアクセスポイント２とも接続関係を有していない。一方、アクセスポイント２は、定期的にビーコンを送信して、そのアクセスポイント２の通信エリア内に位置する移動局１に、通信エリアが近傍に存在することを通知する。このとき、セキュリティを高めるために、アクセスポイント２は、ビーコンにＳＳＩＤを含めずに報知することができる。また、ビーコンでＳＳＩＤを報知する場合には、図５（ａ）で示したＳＳＩＤフィールド９をビーコンの情報要素として有する構成にして、アクセスポイント識別情報を報知しないことができる。
【００６３】
（ｂ）一方、移動局１は、周囲の通信エリアを検索するために、プローブ要求メッセージを発信する。このとき、移動局１はいずれのアクセスポイント２とも接続していないので、アクセスポイント識別情報フィールド９１に「０」を書き込んだプローブ要求メッセージを発信する。また、プローブ要求メッセージのＳＳＩＤフィールド９２には、ＳＳＩＤが格納されている。
【００６４】
（ｃ）移動局１から発信されたプローブ要求メッセージを受信すると、アクセスポイント２は、ＳＳＩＤフィールド９２を確認し、記録されているＳＳＩＤがＳＳＩＤテーブルに含まれるかを確認する。移動局１のアクセスを許容できる場合には、アクセスポイント２は、そのアクセスポイント識別情報をアクセスポイント識別情報フィールド９１に格納したプローブ応答メッセージを移動局１に送信する。このプローブ応答メッセージを受信することにより、移動局１は、リンクを確立しようとするアクセスポイント２を表すアクセスポイント識別情報を認識し、記憶する。
【００６５】
（ｄ）移動局１がプローブ応答メッセージを受信すると、移動局１とアクセスポイント２の間で認証が行われる。
以上の手順で移動局１が最初に接続するアクセスポイントを表すアクセスポイント識別情報を取得する。
【００６６】
さらに、アクセスポイント識別情報を通知する形態のハンドオーバ方法に対応していないアクセスポイント２を含むネットワークにおいても、アクセスポイント識別情報を通知する形態のハンドオーバ方法を用いることができる。この場合には、アクセスポイント識別情報を通知するハンドオーバ方法に適応したアクセスポイント２では、アクセスポイント識別情報を用いて前述のハンドオーバが行われる。しかし、アクセスポイント識別情報を通知する形態のハンドオーバに対応していないアクセスポイント２の動作が、アクセスポイント識別情報の通知に対応しているアクセスポイント２の動作の妨げとなることはない。例えば、前述のＳＳＩＤを用いてアクセスポイント識別情報を通知する形態のハンドオーバ方法に対応した移動局１は、この方法に対応していないアクセスポイントを新アクセスポイントとしてハンドオーバすることも可能である。以下に、その場合の動作の例を説明する。
【００６７】
まず、移動局１は、アクセスポイント識別情報フィールド９１にアクセスポイント識別情報を格納したプローブ要求メッセージを、新アクセスポイント２に送信する。新アクセスポイント２がアクセスポイント識別情報を用いる形態のハンドオーバ方法に対応していない場合、新アクセスポイント２は、移動局１のＳＳＩＤを読み取ることができない。この場合、新アクセスポイント２は、移動局１にエラーメッセージを送信するか、または、なんらの応答もしない。
【００６８】
移動局１は、新アクセスポイント２からプローブ応答メッセージが送信されるかを、所定時間、待っている。新アクセスポイント２からエラーメッセージを受信した場合、もしくは、新アクセスポイント２がプローブ要求メッセージに応答しない場合は、移動局１は、所定時間内にプローブ応答メッセージが受信できない。そこで、移動局１は、図５（ａ）に示したＳＳＩＤを情報要素とした、アクセスポイント識別情報を含まないプローブ要求メッセージを、新アクセスポイント２に送信する。そうすると、新アクセスポイント２は、図５（ａ）に示したＳＳＩＤフィールド９を読み込むことができるため、移動局１にプローブ応答メッセージを送信する。
【００６９】
アクセスポイント識別情報を含まないプローブ要求メッセージの送信後にプローブ応答メッセージを受信すると、移動局１は、新アクセスポイント２がアクセスポイント識別情報を用いる形態のハンドオーバ方法に対応していないと判断する。そこで、リアソシエーション要求メッセージには、図５（ａ）に示したようなＳＳＩＤを情報要素とし、アクセスポイント識別情報を含めない。
【００７０】
このように、アクセスポイント識別情報の通知に非対応のアクセスポイント２が混在しているネットワークにおいても、アクセスポイント識別情報の通知に非対応のアクセスポイントは、ハンドオーバを妨げることはない。言い換えると、新アクセスポイントに応じて移動局１が送信するメッセージの構成を変更することにより、アクセスポイント識別情報を用いるハンドオーバ方法に対応していないアクセスポイントを含むネットワーク中でも移動局１を使用することが可能である。
【００７１】
＜装置構成＞
図１０は、先に述べた実施形態のハンドオーバ方法に対応可能な移動局１の構成例を説明する図である。移動局１は、データ処理部１１、制御部１２、メモリ１４、および８０２．１１終端部１８を備える。また、メモリ１４は、データやプログラムなどを記憶しており、メモリ１４に記憶されたプログラムを制御部１２が読み込むことにより、ＴＣＰ／ＵＤＰ処理機能１３、ＩＰ処理機能１５、８０２．１１メッセージ処理機能１６、ドライバ機能１７が実現される。
【００７２】
データ処理部１１は、移動局１がアクセスポイント２を介して受信した通信データを処
理する。また、移動局１がアクセスポイント２に向けて送信するデータの処理も行う。
制御部１２は、先に述べたハンドオーバ方法を制御する。制御部１２は、アクセスポイント識別情報のメモリ１４への格納、移動局１が受信した制御用メッセージからのアクセスポイント識別情報やＳＳＩＤの抽出などを行う。また、リアソシエーション要求メッセージなどの制御用メッセージの送信に関する制御も行う。
【００７３】
ＴＣＰ／ＵＤＰ処理機能１３により、ＴＣＰプロトコルを用いたデータの送受信およびＵＤＰプロトコルを用いたデータの送受信の制御が行われる。メモリ１４は、制御部１２の要求に応じて、新アクセスポイントおよび旧アクセスポイントのアクセスポイント識別情報を格納する。また、プローブ応答メッセージなどから抽出されたＳＳＩＤの記憶など、適宜、移動局１が有する情報を記憶する。ＩＰ処理機能１５により、ＩＰプロトコルを用いたデータの送受信の制御が行われる。
【００７４】
８０２．１１メッセージ処理機能１６により、８０２．１１の規格に従った無線ＬＡＮによる通信の制御が行われる。また、移動局１に組み込まれたデバイスや移動局１の周辺デバイスを動作させるためのソフトウェアがメモリ１４に記憶されており、それらを用いてドライバ機能１７が提供される。８０２．１１終端部１８は、８０２．１１の規格に従った無線ＬＡＮによる通信を終端させる。
【００７５】
図１１は、先に述べた実施形態のハンドオーバ方法に対応可能なアクセスポイント２の構成例を説明する図である。アクセスポイント２は、データ処理部２１、ハンドオーバ処理部（ＨＯ処理部）２２、制御部２３、移動局状況管理部２４、８０２．１１終端部２８、イーサネット終端部２９、および、メモリ３０を備える。メモリ３０は、データやプログラムなどを記憶しており、メモリ１４に記憶されたプログラムを制御部２３が読み込むことにより、ＴＣＰ／ＵＤＰ／ＩＰ処理機能２５、８０２．１１メッセージ処理機能２６、ドライバ機能２７が提供される。
【００７６】
データ処理部２１は、アクセスポイント２が移動局１から受信した通信データを処理する。また、アクセスポイント２が移動局１に向けて送信するデータの処理も行う。
ハンドオーバ処理部２２は、先に述べたハンドオーバ方法を制御する。移動局１に対してのアクセスポイント識別情報の送信、ＡＩＤの通知などを行う。さらに、移動局１から送信されたリアソシエーション要求メッセージを用いて旧アクセスポイントを特定し、旧アクセスポイント２に対して、移動局１とリンクを確立するために必要な制御情報の要求を行う。なお、ＡＰ−ＩＤテーブルやＳＳＩＤテーブルは、ハンドオーバ処理部２２が備えている構成にすることもできる。
【００７７】
制御部２３は、ハンドオーバ処理部２２を含む。ハンドオーバ処理部２２以外の部分は、データ処理部２１、移動局状況管理部２４など、アクセスポイント２に含まれる各部分の制御を行う。移動局状況管理部２４は、アクセスポイント２に接続している移動局１の状況を管理する。ＴＣＰ／ＵＤＰ／ＩＰ処理機能２５により、ＴＣＰプロトコルを用いたデータの送受信、ＵＤＰプロトコルを用いたデータの送受信、およびＩＰプロトコルを用いたデータの送受信の制御が行われる。
【００７８】
８０２．１１メッセージ処理機能２６により、８０２．１１の規格に従った無線ＬＡＮによる通信が制御される。また、アクセスポイント２に組み込まれたデバイスやアクセスポイント２の周辺デバイスを動作させるためのソフトウェアがメモリ３０に記憶されており、そのソフトウェアを用いてドライバ機能２７が実現される。８０２．１１終端部２８は、８０２．１１の規格に従った無線ＬＡＮによる通信を終端させる。イーサネット終端部２９は、イーサネット（登録商標）の規格に従った通信を終端させる。
【００７９】
なお、アクセスポイント識別情報を用いたハンドオーバ方法の実施形態は、上記の実施形態に限られるものではなく、様々に変形可能である。例えば、アクセスポイント２が、移動局１から受信したプローブ要求メッセージでＳＳＩＤフィールド９２を処理対象とし、アクセスポイント識別情報フィールド９１をマスクすることもできる。移動局１は、認証を行ったアクセスポイント２の全てにリアソシエーション要求メッセージを送信するわけではない。そこで、リアソシエーション要求メッセージを受信しない場合には、アクセスポイント識別情報フィールド９１を参照してアクセスポイント識別情報を格納するなどの無駄な動作を防ぎ、アクセスポイント２の負担を軽減することができる。
【００８０】
また、移動局１はプローブ要求メッセージを送信する段階で、アクセスポイント識別情報を送らない構成にすることも可能である。この場合には、プローブ要求メッセージでは、図５（ａ）に示したＳＳＩＤフィールド９を用いることができる。リアソシエーション要求メッセージを送信する段階まで、移動局１がアクセスポイント識別情報を他のノードに通知しない構成にすることにより、セキュリティの向上が可能である。また、プローブ要求メッセージを受信したアクセスポイント２はアクセスポイント識別情報フィールド９１の処理を行う必要がないため、アクセスポイント２の負担を軽減できる。
【００８１】
上述の各実施形態に対し、さらに以下の付記を開示する。
（付記１）
移動局が第１のアクセスポイントの通信エリアから第２のアクセスポイントの通信エリアへ移動する際に、前記第２のアクセスポイントが備える情報処理装置を、
前記移動局から受信する接続要求メッセージから前記第１のアクセスポイントを識別する第１のアクセスポイント識別情報を抽出する抽出手段、
前記第１のアクセスポイント識別情報を利用して、前記第１のアクセスポイントに対して、前記移動局の通信に係わる制御情報を要求する要求手段、
前記第１のアクセスポイントから取得した前記制御情報を利用して、前記移動局との間にリンクを確立する通信手段、
として機能させるための通信制御プログラム。
（付記２）
前記要求手段は、前記第２のアクセスポイントの通信エリアに隣接する通信エリアを形成するアクセスポイントを識別するアクセスポイント識別情報を記録したアクセスポイント記録テーブルを参照して、前記第１のアクセスポイントを特定する
ことを特徴とする付記１に記載の通信制御プログラム。
（付記３）
前記移動局から送信された制御用メッセージが、前記移動局が前記第２のアクセスポイントの通信エリアに位置するかを問い合わせるメッセージである場合、前記通信手段は、前記制御用メッセージのうち前記第１のアクセスポイント識別情報が格納されている領域を処理対象とせずに、前記移動局と前記第２のアクセスポイントの間の接続の可否を判断する
ことを特徴とする付記１に記載の通信制御プログラム。
（付記４）
前記第２のアクセスポイントが備える情報処理装置を、さらに、
前記移動局から送信されたアクセスポイントの有無を問い合わせるメッセージに応答するメッセージを利用して、前記第２のアクセスポイントを識別する第２のアクセスポイント識別情報を前記移動局へ通知する識別情報通知手段
として機能させることを特徴とする付記１に記載の通信制御プログラム。
（付記５）
アクセスポイントの識別情報が、ＩＥＥＥ８０２．１１で定義されるサービスセット識別子フィールドに格納されることを特徴とする付記１に記載の通信制御プログラム。
（付記６）
第１のアクセスポイントと第２のアクセスポイントを含むシステムにおいて前記第２のアクセスポイントとして使用されるアクセスポイントであって、
前記第１のアクセスポイントの通信エリアから前記第２のアクセスポイントの通信エリアへ移動する移動局から、接続要求メッセージを受信すると、前記接続要求メッセージから前記第１のアクセスポイントを識別する第１のアクセスポイント識別情報を抽出する識別情報抽出手段と、
前記第１のアクセスポイント識別情報を利用して、前記第１のアクセスポイントに対して、前記移動局の通信に係わる制御情報を要求する制御情報要求手段と、
前記第１のアクセスポイントから取得した前記制御情報を利用して、前記移動局との間にリンクを確立する通信手段
を備えることを特徴とするアクセスポイント。
（付記７）
前記第１のアクセスポイントが接続されている第１の無線制御装置とは異なる第２の無線制御装置に前記第２のアクセスポイントが接続されており、
前記第１の無線制御装置は、前記第１のアクセスポイントと前記移動局の間の通信に用いられる制御情報を管理する
ことを特徴とする付記６に記載のアクセスポイント。
（付記８）
前記第２のアクセスポイントの通信エリアに隣接する通信エリアを形成するアクセスポイントを識別するアクセスポイント識別情報を記録したアクセスポイント記録テーブルをさらに備え、
前記制御情報要求手段は、前記アクセスポイント記録テーブルを参照し、前記第１のアクセスポイント識別情報が前記アクセスポイント記録テーブルに含まれている場合に、前記第１のアクセスポイントに対して前記制御情報を要求する
ことを特徴とする付記６に記載のアクセスポイント。
（付記９）
前記移動局から送信された制御用メッセージが、前記移動局が前記第２のアクセスポイントの通信エリア内に位置するかを問い合わせるメッセージである場合、前記通信手段は、前記制御用メッセージのうち前記第１のアクセスポイント識別情報が格納されている領域を処理対象とせずに、前記移動局と前記第２のアクセスポイントの間の接続の可否を判断する
ことを特徴とする請求項６に記載のアクセスポイント。
（付記１０）
移動局が第１のアクセスポイントの通信エリアから第２のアクセスポイントの通信エリアへ移動する際に、前記移動局が備える情報処理装置を、
前記第１のアクセスポイントを識別する第１のアクセスポイント識別情報を記憶する識別情報記憶手段、
前記移動局がアクセスポイントの通信エリア内に位置するかを問い合わせる第１のメッセージに応答する第２のメッセージを、前記第２のアクセスポイントから受信すると、前記第２のメッセージから前記第２のアクセスポイントを識別するアクセスポイント識別情報を抽出する抽出手段、
前記第２のアクセスポイントに対して前記第１のアクセスポイント識別情報を含む第３のメッセージを送信する送信手段
として機能させるための通信制御プログラム。
（付記１１）
前記移動局と前記第２のアクセスポイントの間のリンクを確立するために前記第２のアクセスポイントから送信された制御用メッセージが前記第２のメッセージではない場合、前記移動局は、前記制御情報のうち前記第２のアクセスポイント識別情報が格納されている領域を処理対象としない
ことを特徴とする付記１０に記載の通信制御プログラム。
（付記１２）
アクセスポイントとの接続を利用して通信を行う移動局であって、
前記第１のアクセスポイントを識別する第１のアクセスポイント識別情報を記憶する識別情報記憶手段と、
前記移動局がアクセスポイントの通信エリア内に位置するかを問い合わせる第１のメッセージへの応答として、第２のアクセスポイントから第２のメッセージを受信すると、前記第２のメッセージから前記第２のアクセスポイントを識別するアクセスポイント識別情報を抽出する識別情報抽出手段と、
前記第２のアクセスポイントに対して前記第１のアクセスポイント識別情報を含む第３のメッセージを送信する送信手段
を備えることを特徴とする移動局。
（付記１３）
前記移動局と前記第２のアクセスポイントの間のリンクを確立するために前記第２のアクセスポイントから送信された制御用メッセージが前記第２のメッセージではない場合、前記制御情報のうち前記第２のアクセスポイント識別情報が格納されている領域を処理対象としない
ことを特徴とする付記１２に記載の移動局。
（付記１４）
アクセスポイントを識別するアクセスポイント識別情報を含む第１のメッセージを送信するアクセスポイントと、
リンクを確立するアクセスポイントのアクセスポイント識別情報を前記第１のメッセージから取得する移動局を備え、
前記移動局が第１のアクセスポイントの通信エリアから第２のアクセスポイントの通信エリアへ移動する際に、前記移動局は、第１のアクセスポイント識別情報を含む第２のメッセージをアクセスポイントに送信し、
前記第２のアクセスポイントは、前記第２のメッセージから抽出した第１のアクセスポイントのアクセスポイント識別情報を用いて、前記第１のアクセスポイントと前記移動局の通信に係る制御情報を、前記第１のアクセスポイントに要求し、
前記第２のアクセスポイントは、前記制御情報を用いて前記移動局との間にリンクを確立する
ことを特徴とする無線通信システム。
（付記１５）
第１のアクセスポイントが接続されている第１の無線制御装置とは異なる第２の無線制御装置に第２のアクセスポイントが接続されており、移動局が前記第１のアクセスポイントの通信エリアから前記第２のアクセスポイントの通信エリアへ移動する際のハンドオーバ方法であって、
前記第１のアクセスポイントを識別する第１のアクセスポイント識別情報を記憶している前記移動局に対して、前記第２のアクセスポイントは、前記第２のアクセスポイントを識別する第２のアクセスポイント識別情報を含むメッセージを通知し、
前記移動局は、前記第２のアクセスポイントに接続を要求する際に、前記第１のアクセスポイント識別情報を格納したメッセージを前記第２のアクセスポイントに送信し、
前記第２のアクセスポイントは、前記第１のアクセスポイント識別情報を利用して前記第１の無線制御装置に対して前記移動局の通信に係わる制御情報を要求し、
前記第２のアクセスポイントは、前記第１の無線制御装置から取得した前記制御情報を利用して、前記移動局との間にリンクを確立する
ことを特徴とするハンドオーバ方法。
（付記１６）
前記第２のアクセスポイントは、前記第１のアクセスポイント識別情報から特定した前記第１のアクセスポイントを介して前記移動局の通信に係わる制御情報を要求し、
前記第１のアクセスポイントを介して前記制御情報を取得し、前記移動局との間にリン
クを確立する
ことを特徴とする付記１５に記載のハンドオーバ方法。
（付記１７）
前記第２のアクセスポイント識別情報は、前記移動局がアクセスポイントの通信エリア内に位置するかを問い合わせるために送信した第１のメッセージに応答して第２のアクセスポイントが前記移動局に送信した第２のメッセージから抽出される
ことを特徴とする付記１６に記載のハンドオーバ方法。
【図面の簡単な説明】
【００８２】
【図１】実施形態のハンドオーバ方法が用いられるネットワークの構成例を示す図である。
【図２】新アクセスポイントと旧アクセスポイントが同一の無線制御装置の配下にない場合のハンドオーバ方法の実施形態の一例を説明するシーケンス図である。
【図３】プローブ要求メッセージの情報要素を説明する図である。
【図４】リアソシエーション要求メッセージの情報要素を示す図である。
【図５】アクセスポイント識別情報の送受信に用いることができるＳＳＩＤの構成を説明する図である。
【図６】新アクセスポイントが旧アクセスポイントを介して制御情報を取得する場合のハンドオーバ方法の実施形態の一例を説明するシーケンス図である。
【図７】アクセスポイントが格納しているＡＰ−ＩＤテーブルの一例を示す図である。
【図８】アクセスポイント管理テーブルの一例を説明する図である。
【図９】移動局がネットワークと通信を開始するときに、接続するアクセスポイントのアクセスポイント識別情報を取得する方法を説明する図である。
【図１０】実施形態のハンドオーバ方法に対応可能な移動局の構成例を説明する図である。
【図１１】実施形態のハンドオーバ方法に対応可能なアクセスポイントの構成例を説明する図である。
【図１２】移動局がアクセスポイント間でハンドオーバを行う場合のシーケンスを説明する図である。
【符号の説明】
【００８３】
１  移動局
２  アクセスポイント
３  ハブ
４  無線制御装置
５  ルータ
６  ＤＮＳ
７  ＲＡＤＩＵＳ
８  ＤＨＣＰ
９  ＳＳＩＤフィールド
１１  データ処理部
１２  制御部
１３  ＴＣＰ／ＵＤＰ処理機能
１４、３０  メモリ
１５  ＩＰ処理機能
１６  ８０２．１１メッセージ処理機能
１７  ドライバ機能
１８  ８０２．１１終端部
２１  データ処理部
２２  ハンドオーバ処理部
２３  制御部
２４  移動局状況管理部
２５  ＴＣＰ／ＵＤＰ／ＩＰ処理機能
２６  ８０２．１１メッセージ処理機能
２７  ドライバ機能
２８  ８０２．１１終端部
２９  イーサネット終端部
９１  アクセスポイント識別情報フィールド
９２  ＳＳＩＤフィールド
【図１】
2010068488.tif 000003
【図２】
2010068488.tif 000004
【図３】
2010068488.tif 000005
【図４】
2010068488.tif 000006
【図５】
2010068488.tif 000007
【図６】
2010068488.tif 000008
【図７】
2010068488.tif 000009
【図８】
2010068488.tif 000010
【図９】
2010068488.tif 000011
【図１０】
2010068488.tif 000012
【図１１】
2010068488.tif 000013
【図１２】
2010068488.tif 000014